(57)【要約】【課題】レッグレスト部分の長さ（奥行き）を着座者の体格や好みに応じて調整することができるリクライニング椅子を提供する。【解決手段】レッグレストを備え、アームレストの操作によりバックレストを傾倒・起立させるようにしたアームレスト操作式のリクライニング椅子１０であって、  レッグレストフレーム１９と、バックレストフレーム１３と、バックレストフレーム１３の下端部に後端部位がピンＰ４により枢支される座部フレーム１４と、前脚フレーム１５と後脚フレーム１６の左右上方端部を傾倒位置決め用のピンＰ１により枢支してなる脚部と、後端側をピンＰ２によりバックレストフレーム１３に枢支され前端側を上方に回動可能とし、かつ内部にピンＰ１を所望の位置に係止可能とした係止部を有するアームレストフレーム１７とを具備し、レッグレストフレーム１９が座部フレーム１４の前方から引き出し可能である。【選択図】図４
2011152372.tif 000002
【特許請求の範囲】
【請求項１】
レッグレストを備え、アームレストの操作によりバックレストを傾倒・起立させるようにしたアームレスト操作式のリクライニング椅子であって、
レッグレストフレームと、
バックレストフレームと、
前記バックレストフレームの下端部に後端部位がピンＰ４により枢支される座部フレームと、
前脚フレームと後脚フレームの左右上方端部を傾倒位置決め用のピンＰ１により枢支してなる脚部と、
後端側をピンＰ２により前記バックレストフレームに枢支され前端側を上方に回動可能とし、かつ内部に前記ピンＰ１を所望の位置に係止可能とした係止部を有するアームレストフレームとを具備し、
前記レッグレストフレームが前記座部フレームの前方から引き出し可能であることを特徴とするリクライニング椅子。
【請求項２】
引き出し可能な前記レッグレストフレームが前記座部フレームの下方に収納されていることを特徴とする請求項１に記載のリクライニング椅子。
【請求項３】
引き出し可能な前記レッグレストフレームが前記座部フレームの内部に収納されていることを特徴とする請求項１に記載のリクライニング椅子。
【請求項４】
前記前脚フレームと前記後脚フレームの開脚時に、前記座部フレームの前方端が後方端より高く傾斜していることを特徴とする請求項１ないし請求項３のいずれかに記載のリクライニング椅子。
【請求項５】
前記前脚フレームは、長さ方向の途中から前方に滑らかに屈曲していることを特徴とする請求項１ないし請求項４のいずれかに記載のリクライニング椅子。
【請求項６】
前記後脚フレームは、長さ方向の途中から後方に滑らかに屈曲していることを特徴とする請求項１ないし請求項５のいずれかに記載のリクライニング椅子。
【請求項７】
前記座部フレームは、その対向する側部の略中間部の前側部位がピンＰ３によって前記前脚フレームの略中間部に枢支され、その対向する側部の後端部位がピンＰ４によって前記バックレストフレームの下端近傍に枢支され、前記後脚フレームの略中間部よりやや下方の部位がピンＰ５によって連結リンクに枢支され、前記ピンＰ１ないし前記ピンＰ５を枢軸としてリクライニング椅子が折り畳まれることを特徴とする請求項１ないし請求項６のいずれかに記載のリクライニング椅子。
【発明の詳細な説明】
【技術分野】
【０００１】
本発明は、レッグレストを備えるリクライニング椅子に関するもので、詳しくは、レッグレストを座部の前方から引き出すことができるリクライニング椅子に関するものである。
【背景技術】
【０００２】
従来、レッグレストを備えるリクライニング椅子については、特許文献１に記載されているような折畳式肘掛椅子が知られている。
すなわち、特許文献１に記載されている折畳式肘掛椅子は、背もたれにリンクロッドを介して足のせを連結し、座席に対して背もたれの位置変化に応じて足のせの位置を変化させるように構成した折畳式肘掛椅子であって、リンクロッドの後端と背もたれとの間にクランク部材を介在させ、クランク部材を背もたれに対し折畳方向とは反対方向にのみ自由に回動可能に連結し、クランク部材が背もたれに形成させた対応する係止部と協動する支持部を有することを特徴とする折畳式肘掛椅子である。
【先行技術文献】
【特許文献】
【０００３】
【特許文献１】特開昭６３−６８１１４号公報
【発明の概要】
【発明が解決しようとする課題】
【０００４】
しかし、上記特許文献１に記載の折畳式肘掛椅子は、背もたれにリンクロッドを介して足のせ（レッグレスト）を連結し、座席に対して背もたれの位置変化に応じて足のせ（レッグレスト）の位置を変化させるように構成したので、背もたれの傾きに連動して足のせ（レッグレスト）の傾きを変化させることはできるが、足のせ（レッグレスト）部分の長さ（奥行き）を着座者の体格や好みに応じて調整することはできない、という問題点がある。
【０００５】
そこで、本発明は、レッグレスト部分の長さ（奥行き）を着座者の体格や好みに応じて調整することができるリクライニング椅子を提供することを課題とするものである。
【課題を解決するための手段】
【０００６】
即ち、本発明は、（１）、レッグレストを備え、アームレストの操作によりバックレストを傾倒・起立させるようにしたアームレスト操作式のリクライニング椅子であって、
レッグレストフレームと、バックレストフレームと、前記バックレストフレームの下端部に後端部位がピンＰ４により枢支される座部フレームと、前脚フレームと後脚フレームの左右上方端部を傾倒位置決め用のピンＰ１により枢支してなる脚部と、後端側をピンＰ２により前記バックレストフレームに枢支され前端側を上方に回動可能とし、かつ内部に前記ピンＰ１を所望の位置に係止可能とした係止部を有するアームレストフレームとを具備し、前記レッグレストフレームが前記座部フレームの前方から引き出し可能であるリクライニング椅子に存する。
【０００７】
また、本発明は、（２）、引き出し可能な前記レッグレストフレームが前記座部フレームの下方に収納されている上記（１）に記載のリクライニング椅子に存する。
【０００８】
また、本発明は、（３）、引き出し可能な前記レッグレストフレームが前記座部フレームの内部に収納されている上記（１）に記載のリクライニング椅子に存する。
【０００９】
また、本発明は、（４）、前記前脚フレームと前記後脚フレームの開脚時に、前記座部フレームの前方端が後方端より高く傾斜している上記（１）ないし（３）のいずれかに記載のリクライニング椅子に存する。
【００１０】
また、本発明は、（５）、前記前脚フレームは、長さ方向の途中から前方に滑らかに屈曲している上記（１）ないし（４）のいずれかに記載のリクライニング椅子に存する。
【００１１】
また、本発明は、（６）、前記後脚フレームは、長さ方向の途中から後方に滑らかに屈曲している上記（１）ないし（５）のいずれかに記載のリクライニング椅子に存する。
【００１２】
また、本発明は、（７）、前記座部フレームは、その対向する側部の略中間部の前側部位がピンＰ３によって前記前脚フレームの略中間部に枢支され、その対向する側部の後端部位がピンＰ４によって前記バックレストフレームの下端近傍に枢支され、前記後脚フレームの略中間部よりやや下方の部位がピンＰ５によって連結リンクに枢支され、前記ピンＰ１ないし前記ピンＰ５を枢軸としてリクライニング椅子が折り畳まれる上記（１）〜ないし（６）のいずれかに記載のリクライニング椅子に存する。
【００１３】
なお、本発明の目的に沿ったものであれば上記（１）〜（７）を適宜組み合わせた構成も当然採用可能である。  
【発明の効果】
【００１４】
本発明によれば、次のような効果を有する。
レッグレストフレームが座部フレームの前方から引き出し可能であるので、バックレストフレームの傾倒角度に関係なく、レッグレスト部分の長さ（奥行き）を着座者の体格や好みに応じて調整することができる。
また、前脚フレームと後脚フレームの開脚時に、座部フレームの前方端が後方端より高く傾斜しているので、着座者が安定して着座できる。
レッグレストフレーム１９を引っ込める場合、下方に引き込む動作となるため操作が容易である。
また、前脚フレームは長さ方向の途中から前方に滑らかに屈曲し、後脚フレームは長さ方向の途中から後方に滑らかに屈曲しているので、着座時にリクライニング椅子が安定する。
また、座部フレームは、その対向する側部の略中間部の前側部位がピンＰ３によって前脚フレームの略中間部に枢支され、その対向する側部の後端部位がピンＰ４によってバックレストフレームの下端近傍に枢支され、後脚フレームの略中間部よりやや下方の部位がピンＰ５によって連結リンクに枢支され、ピンＰ１ないしピンＰ５を枢軸としてリクライニング椅子が折り畳まれるので、持ち運びや設置等の取り扱いが容易となり、また、不使用時の保管に際しスペースを取らない。
【図面の簡単な説明】
【００１５】
【図１】図１は、本発明の実施の形態に係るリクライニング椅子の概略斜視図である。
【図２】図２は、図１のリクライニング椅子からクッション部を取り外した概略斜視図である。
【図３】図３は、図１のリクライニング椅子のクッション部の概略斜視図である。
【図４】図４は、図２のリクライニング椅子の概略側面図である。
【図５】図５は、図４においてＸ方向から見た部分拡大図である。
【図６】図６は、図１，２，４に示すアームレストを示し、図６（Ａ）はその係止部を含む断面図で、図６（Ｂ）はその底面図である。
【図７】図７は、図２，４の座部フレームを示し、図７（Ａ）はその平面図で、図７（Ｂ）はその側面図である。
【図８】図８は、図４のレッグレストフレームを示し、図８（Ａ）はその平面図で、図８（Ｂ）はその側面図で、図８（Ｃ）はその端面図である。
【図９】図９は、図７の座部フレームと図８のレッグレストフレームを組み立てた状態を示し、図９（Ａ）はその平面図で、図９（Ｂ）はその側面図で、図９（Ｃ）は（Ａ）及び（Ｂ）に示すレッグレストフレームが座部フレーム１４の下方に完全に押し込まれた状態を示す側面図である。
【図１０】図１０は、図２のリクライニング椅子を折り畳んだ状態を示し、（Ａ）はその側面図で、（Ｂ）は（Ａ）に示す折り畳み状態の上にクッション部を載置した状態を示すその側面図である。
【図１１】図１１は、本発明の他の実施の形態に係るリクライニング椅子の概略斜視図である。
【図１２】図１２は、図１１のリクライニング椅子からクッション部を取り外した概略斜視図である。
【図１３】図１３は、図１１のリクライニング椅子のクッション部の概略斜視図である。
【発明を実施するための形態】
【００１６】
本発明の実施の形態に係るリクライニング椅子１０について以下に説明する。
【００１７】
本発明の実施の形態に係るリクライニング椅子１０は、図１，２，３に示すように、リクライニング椅子フレーム１１と取り外し可能なクッション部材１２とから構成されている。
【００１８】
リクライニング椅子フレーム１１は、図２，４，５に示すように、バックレストフレーム１３と、座部フレーム１４と、脚部を構成する前脚フレーム１５及び後脚フレーム１６と、アームレスト１７と、連結リンク１８と、レッグレストフレーム１９と、Ｓ字ばね２０とを備えている。
【００１９】
取り外し可能なクッション部材１２は、バックレストクッション部１２ａと座部クッション部１２ｂが連結されている。
そして、バックレストクッション部１２ａの上部背面にはバックレストフレーム１３の上部に被せる袋状部（図示しない）が形成されており、この袋状部をバックレストフレーム１３の上部に被せることにより、バックレストクッション部１２ａと座部クッション部１２ｂがそれぞれバックレストフレーム１３と座部フレーム１４に装着されるようになっている。
【００２０】
バックレストフレーム１３は、図２に示すように、金属製のパイプを折り曲げて下方が開放するＵ字状に形成されており、複数（図２の例では２本）のＳ字状ばね２０が取り付けられている。
【００２１】
座部フレーム１４は、図７に示すように、金属製のパイプを折り曲げて一方（図７において右側）が開放するＵ字状に形成されており、複数（図２，７の例では２本）のＳ字状ばね２０が取り付けられている。
また、座部フレーム１４の開放する側の両端部は下方に鈍角状に折り曲げられた湾曲部１４ｃが形成されており、この鈍角状に折り曲げられた湾曲部１４ｃ端部には連結棒１４ａが取り付けられている。
さらに、座部フレーム１４の対向する側部の内側には案内ロッド１４ｂが配置され、案内ロッド１４ｂの基端側はＵ字状に折り曲げられており、その端部が座部フレーム１４の対向する側部の内側に固定されている。
また、図４に示すように、座部フレーム１４の対向する側部の略中間部の前側部位がピンＰ３によって前脚フレーム１５の略中間部に枢支されている。
【００２２】
前脚フレーム１５は、図１，２に示すように、金属製のパイプを折り曲げて上方が開放するＵ字状に形成されており、床に接する部分には２個のプロテクター２１が嵌め込まれている。
また、前脚フレーム１５は、長さ方向の途中から前方に滑らかに屈曲している。
【００２３】
後脚フレーム１６も、図１，２に示すように、前脚フレーム１５と同様に、金属製のパイプを折り曲げて上方が開放するＵ字状に形成されており、床に接する部分には２個のプロテクター２１が嵌め込まれている。
また、後脚フレーム１６は、長さ方向の途中から後方に滑らかに屈曲している。
【００２４】
そして、図４に示すように、前脚フレーム１５と後脚フレーム１６との左右上端部は交差しており、この交差部は後述する傾倒位置決め用のピンＰ１によって枢支されている。
【００２５】
アームレスト１７は、図６に示すように、樹脂材により内部が中空に一体成形されている。
このアームレスト１７の後側はピンＰ２によりバックレストフレーム１３に枢支され、これにより前側がピンＰ２を支点として、仮想線で示すように上方回動できるようになっている。
【００２６】
アームレストフレーム１７の側部の各内面には、図６（Ａ），（Ｂ）に示すように、側面視で鋸刃状をなす複数個の係止突起１７ａが形成された係止部１７ｂが設けられている。
図６（Ａ），（Ｂ）に示すように、係止突起１７ａ間には前述したピンＰ１の両端部Ｐ１ａが係止され、これによりバックレスト１３の傾倒位置、すなわち傾倒角度が決定される。
このようにピンＰ１の両端部Ｐ１ａが前後方向に移動され、係止突起１７ａ間に係止されるとき、係止突起１７ａの先端部が鋸刃状に形成されているので、ピンＰ１の両端部Ｐ１ａの移動及び係止が容易かつ確実に行うことができる。
【００２７】
連結リンク１８は、図４，５に示すように、その上方にピンＰ４を備え、その下方にピンＰ５を備えている。
そして、図５に示すように、座部フレーム１４の対向する側部の後端部位がピンＰ４によってバックレストフレーム１３の下端近傍に枢支され、後脚フレーム１６の略中間部よりやや下方の部位がピンＰ５によって連結リンク１８に枢支されている。
【００２８】
レッグレストフレーム１９は、図８に示すように、金属製のパイプにより後端側が開放されてＵ字状に形成されており、複数（図８の例では２本）のＳ字状ばね２０が取り付けられている。
また、レッグレストフレーム１９の開放する側の両端部近傍には連結棒１９ａが取り付けられている。
そして、連結棒１９ａの両端部から突出する軸１９ｂの先端にはそれぞれ円形当接部材１９ｃが取り付けられ、円形当接部材１９ｃはレッグレストフレーム１９の対向する側部の外側に位置している。
【００２９】
図７に示す座部フレーム１４と図８に示すレッグレストフレーム１９は、図９（Ａ），（Ｂ），（Ｃ）に示すように、組み立てられている。
【００３０】
図９（Ａ）は、レッグレストフレーム１９が座部フレーム１４の前方に最大限引き出された状態を示しており、（Ｂ）はレッグレストフレーム１９が座部フレーム１４の前方に最大限引き出された状態を示す側面図である。
また、（Ｃ）はレッグレストフレーム１９が座部フレーム１４の下方に完全に押し込まれた状態を示す側面図である。
【００３１】
レッグレストフレーム１９は、図９（Ａ），（Ｂ），（Ｃ）に示すように、座部フレーム１４の連結棒１４ａにより下方から支持されるとともに、座部フレーム１４の案内ロッド１４ｂの自由端が中空状のレッグレストフレーム１９の内部に挿入され、案内ロッド１４ｂに案内されて座部フレーム１４に対して前後方向に引き出され、あるいは押し込まれる。
【００３２】
レッグレストフレーム１９が座部フレーム１４に対して前後方向に引き出され、あるいは押し込まれる際、レッグレストフレーム１９の円形当接部材１９ｃは座部フレーム１４の下面に沿って移動する。
そして、図９（Ａ），（Ｂ）に示すように、レッグレストフレーム１９が座部フレーム１４の前方に最大限に引き出されると、円形当接部材１９ｃは座部フレーム１４の湾曲部１４ｃの基端部に滑らかに当接する。
すなわち鈍角状の湾曲部１４ｃにより徐々に停止していくので、強く引き出しても衝撃がない。
そしてレッグレストフレーム１９は円形の当接部材円形当接部材１９ｃと連結棒１４ａにより片持ち状に支持される。
この状態でレッグレストフレーム１９の先部に荷重を加えても、円形当接部材１９ｃが座部フレーム１４の下面に当たって支えるため、レッグレストフレーム１９の先部はこれ以上下がらない。
また、図９（Ｃ）に示すように、レッグレストフレーム１９が座部フレーム１４の下方に完全に押し込まれた状態のとき、レッグレストフレーム１９の前端部は連結棒１４ａにより支持されるとともに、その後端部は案内ロッド１４ｂの基端部側に当接している。
【００３３】
リクライニング椅子１０は、次にように、全体を折り畳むことができる。
【００３４】
リクライニング椅子１０のリクライニング椅子フレーム１１は、バックレストフレーム１３、レッグレストフレーム１９を含む座部フレーム１４、前脚フレーム１５、後脚フレーム１６、アームレスト１７のそれぞれが、ピンＰ１〜Ｐ５のいずれかを介し、相互に枢動可能に枢支されているので、バックレストフレーム１３と座部フレーム１４とを合わせるように折り畳むと、図１０（Ａ）に示すように、リクライニング椅子フレーム１１全体を折り畳むことができる。
さらに、図１０（Ｂ）に示すように、図１０（Ａ）に示すリクライニング椅子フレーム１１全体を折り畳んだ状態の上にクッション部材１２を載置すると、リクライニング椅子１０をコンパクトにまとめることができる。
この場合、図のように紐等を使うと便利である。
このため、リクライニング椅子１０は、持ち運びや設置等の取り扱いが容易となり、また、不使用時の保管に際しスペースを取らない。
【００３５】
本発明の実施の形態に係るリクライニング椅子１０によれば、次のような効果を有する。
【００３６】
レッグレストフレーム１９が座部フレーム１４の前方から引き出し可能であるので、バックレストフレーム１３の傾倒角度に関係なく、レッグレスト部分の長さ（奥行き）を着座者の体格や好みに応じて調整することができる。
また、前脚フレーム１５と後脚フレーム１６の開脚時に、座部フレーム１４の前方端が後方端より高く傾斜しているので、着座者が安定して着座できる。
その上、座ったまま、レッグレストフレーム１９を引っ込める場合、下方に引き込む動作となるため引っ込め易い。
また、前脚フレーム１５は長さ方向の途中から前方に滑らかに屈曲し、後脚フレーム１６は長さ方向の途中から後方に滑らかに屈曲しているので、着座時にリクライニング椅子１０が安定する。
また、座部フレーム１４は、その対向する側部の略中間部の前側部位がピンＰ３によって前脚フレーム１５の略中間部に枢支され、その対向する側部の後端部位がピンＰ４によってバックレストフレーム１３の下端近傍に枢支され、後脚フレーム１６の略中間部よりやや下方の部位がピンＰ５によって連結リンク１８に枢支され、ピンＰ１ないしピンＰ５を枢軸としてリクライニング椅子１０が折り畳まれるので、持ち運びや設置等の取り扱いが容易となり、また、不使用時の保管に際しスペースを取らない。
【００３７】
次に、本発明の他の実施の形態に係るリクライニング椅子１０’について図１１，１２，１３を参照して説明する。
【００３８】
本発明の他の実施の形態に係るリクライニング椅子１０’は、図１１，１２，１３に示すように、リクライニング椅子フレーム１１’と取り外し可能なクッション部材１２’とから構成されている。
【００３９】
リクライニング椅子フレーム１１’は、図１１，１２に示すように、バックレストフレーム１３と、座部フレーム１４’と、脚部を構成する前脚フレーム１５及び後脚フレーム１６と、アームレスト１７と、連結リンク１８と、レッグレスト１９’と、Ｓ字ばね２０とを備えている。
【００４０】
取り外し可能なクッション部材１２’は、バックレストクッション部１２’ａと座部クッション部１２’ｂが連結されている。
そして、バックレストクッション部１２’ａの上部背面にはバックレストフレーム１３の上部に被せる袋状部（図示しない）が形成されており、この袋状部をバックレストフレーム１３の上部に被せることにより、バックレストクッション部１２’ａと座部クッション部１２’ｂがそれぞれバックレストフレーム１３と座部フレーム１４’に装着されるようになっている。
【００４１】
本発明の他の実施の形態に係るリクライニング椅子１０’は、座部フレーム１４’とレッグレスト１９’の構造が本発明の実施の形態に係るリクライニング椅子１０と相違するだけであるので、以下にその相違点のみを説明する。
【００４２】
座部フレーム１４’は、内部に空隙を有するケース状の構造をしており、図１１，１２に示すように、この内部の空隙内に後述するレッグレスト１９’が引き出し可能に収納される。
【００４３】
レッグレスト１９’は、金属製のパイプにより後端側が開放されてＵ字状に形成されたレッグレストフレーム（図示しない）とこのレッグレストフレーム間に懸架されたＳ字ばね（図示しない）とをレッグレストクッション部材１９’ｄで被覆して形成されている。
そして、レッグレスト１９’は、図１１に示すように、着座者の体格や好みに応じてケース状の座部フレーム１４’内から必要な長さだけ引き出して使用され、使用後は座部フレーム１４’内に収納される。
【００４４】
本発明の他の実施の形態に係るリクライニング椅子１０’によれば、次のような効果を有する。
【００４５】
レッグレスト１９’が座部フレーム１４’の前方から引き出し可能であるので、バックレストフレーム１３の傾倒角度に関係なく、レッグレスト部分の長さ（奥行き）を着座者の体格や好みに応じて調整することができる。
また、前脚フレーム１５と後脚フレーム１６の開脚時に、座部フレーム１４’の前方端が後方端より高く傾斜しているので、着座者が安定して着座できるだけでなく、座部フレーム１４’の内部にレッグレスト１９’を収納する際に容易に押し込むことができる。
なお、その他の効果は前述した本発明の実施の形態に係るリクライニング椅子１０の効果と同様であるので、その記載は省略する。
【産業上の利用可能性】
【００４６】
本発明の実施の形態及び他の実施の形態においては、リクライニング椅子において座部フレームの前方から引き出し可能なレッグレストを設けた例を示しているが、リクライニング椅子以外の椅子にも座部フレームの前方から引き出し可能なレッグレストを設けることができる。
【符号の説明】
【００４７】
１０，１０’…リクライニング椅子
１１，１１’…リクライニング椅子フレーム
１２，１２’…クッション部材
１２ａ，１２’ａ…バックレストクッション部
１２ｂ，１２’ｂ…座部クッション部
１３  …バックレストフレーム
１４、１４’…座部フレーム
１４ａ…連結棒
１４ｂ…案内ロッド
１４ｃ…湾曲部
１５…前脚フレーム
１６…後脚フレーム
１７…アームレスト
１７ａ…係止突起
１７ｂ…係止部
１８…連結リンク
１９…レッグレストフレーム
１９ａ…連結棒
１９ｂ…軸
１９ｃ…円形当接部材
１９ｄ，１９’ｄ…レッグレストクッション部材
１９’…レッグレスト
２０…Ｓ字ばね
２１…プロテクター
Ｐ１〜Ｐ５…ピン
Ｐ１ａ…ピンＰ１の両端部
【図１】
2011152372.tif 000003
【図２】
2011152372.tif 000004
【図３】
2011152372.tif 000005
【図４】
2011152372.tif 000006
【図５】
2011152372.tif 000007
【図６】
2011152372.tif 000008
【図７】
2011152372.tif 000009
【図８】
2011152372.tif 000010
【図９】
2011152372.tif 000011
【図１０】
2011152372.tif 000012
【図１１】
2011152372.tif 000013
【図１２】
2011152372.tif 000014
【図１３】
2011152372.tif 000015